(57)【特許請求の範囲】
【請求項１】
金属蒸着膜（１）を施した部分にエンボス（４）を施し、その上に花柄模様（５）を施し、次いでその上に結び目模様（６）を施した薄片（２）を結び目形状（３）に抜き取ってなることを特徴とする装飾品。
【請求項２】
金属蒸着膜（１）を施した薄片（２）を用い、この薄片（２）の金属蒸着膜（１）を施した部分にエンボス（４）を施す工程と、その上に花柄模様（５）を施し、次いでその上に結び目模様（６）を施す工程と、さらにこの薄片（２）を結び目形状（３）に抜き取る工程を備えたことを特徴とする装飾品の加工方法。
【発明の詳細な説明】
【０００１】
【発明の属する技術分野】
この発明は、水引やリボン等として用いられる装飾品、およびその加工方法に関するものである。
【０００２】
【従来の技術】
従来から存在する水引は、細いこよりに水糊をひいて結び目形状にかため、中央から紅白、金銀等に色分けしたものとしており、進物の包み紙等に掛け渡せるようにしている。
【０００３】
また、従来から存在するリボンは、天然樹脂地や合成樹脂地からなる細長のひも状にしており、結び目を付けて進物の装飾等として用いている。
【０００４】
このような従来から存在する水引やリボンでは、それらの結び目を手作業によって作成していた。
【０００５】
【発明が解決しようとする課題】
しかしながら、前記水引を見栄えのよい豪華なものにするには、細いこよりそのものに金色や銀色の金属蒸着膜を施したものとしたり、またリボンを見栄えのよい豪華なものにするには、金糸や銀糸で織った生地を使用したりしていた。そのため、水引やリボンそのものの素材の材料費が高くついたり、加工が複雑となって加工費が高くつくという課題を有していた。
【０００６】
また、従来から存在する水引やリボンでは、それらの結び目を手作業によって作成していたため、大量生産には不向きであるという課題を有していた。さらに、結び目を手作業によって作成するには、素材もある程度限定されてしまい、多用途、多目的に使用することができる水引やリボン等を提供することができないという課題を有していた。
【０００７】
そこで、この発明は、上記従来の課題を解決するものであり、材料費や加工費が高くつかず、しかも見栄えのよい豪華な商品となる水引やリボン等の装飾品を提供することを目的としてなされたものである。
【０００８】
また、この発明は、大ロット、小ロットにかかわらず、装飾品を迅速で簡単に加工することができ、しかも素材に限定されることなく、素材を自由に変更できるものにして、多用途、多目的に使用することができる水引やリボン等の装飾品の加工方法を提供することを目的としてなされたものである。
【０００９】
【課題を解決するための手段】
そのため、この発明の装飾品は、金属蒸着膜１を施した部分にエンボス４を施し、その上に花柄模様５を施し、次いでその上に結び目模様６を施した薄片２を結び目形状３に抜き取ってなるものとしている。
【００１０】
さらに、この発明の装飾品の加工方法は、金属蒸着膜１を施した薄片２を用い、この薄片２の金属蒸着膜１を施した部分にエンボス４を施す工程と、その上に花柄模様５を施し、次いでその上に結び目模様６を施す工程と、さらにこの薄片２を結び目形状３に抜き取る工程を備えたものとしている。
【００１１】
【発明の実施の形態】
以下、この発明の装飾品およびその加工方法の実施の形態を、図面に基づいて詳細に説明する。
【００１２】
この発明の装飾品は、図１、２に示したように、アルミニウムやその他の金属蒸着膜１を施した薄片２を各種の結び目形状３に抜き取ってなるものとしている。例えば、図１に示したようにこの発明の装飾品を水引とする場合には、前記金属蒸着膜１を施した再生紙からなる薄片２を結び切りとした結び目形状３に抜き取ったものとしている。また、図２に示したようにこの発明の装飾品をリボンとする場合には、前記金属蒸着膜１を施した再生繊維からなる薄片２を蝶結びとした結び目形状３に抜き取ったものとしている。なお、前記薄片２は、金属蒸着膜１を施した部分にエンボス４を施し、さらにその上に花柄模様５または結び目模様６を施したものとしている。また、図１に示したような水引では、前記結び目形状３の両側に延長した帯形状３ａを併せて抜き取ったものとすることもできる。この帯形状３ａに抜き取った部分は、この発明の装飾品を封筒等に貼りつける場合や、後に述べるような熨斗袋に印刷された水引模様の上に重ね合わせて貼り付ける場合に、熨斗袋の裏側に折り返して、この熨斗袋に体裁よく、貼り付けることができるようにしている。
【００１３】
そして、この発明の装飾品を加工するには、次のようにして行う。
先ず、この発明の装飾品を水引とする場合には、図３に示したように、四角形状とし、少し間をおいて横に三個並べた状態に金属蒸着膜１を施した横長の薄片２を用意する。また、この発明の装飾品をリボンとする場合には、図４に示したように、四角形状として金属蒸着膜１を施した薄片２を用意する。
【００１４】
次に、図５、６に示したように、前記薄片２の金属蒸着膜１を施した部分にエンボス４を施し、さらにその上に花柄模様５や結び目模様６を印刷したり、型押しする。この発明の装飾品において、結び目模様６を印刷したり、型押しすることにより、より実物の結び目を有する水引やリボン等に近いものとなる。
【００１５】
そして最後に、前記薄片２に結び目形状とした刃型をプレスする等して、前記図１、２に示したように、前記薄片２を結び目形状３に抜き取る。
【００１６】
この発明の装飾品およびその加工方法において、前記金属蒸着膜１は、薄片２の片面に施されるが、必要に応じて薄片２の両面に施すこともでき、アルミニウムやその他の金属を真空蒸着したものとしている。前記薄片２は、再生紙や再生繊維等からなるものとしており、素材の原価を低くできるものとしている。また、前記薄片２の裏面は、必要に応じて粘着層７を有したものとし、この粘着層７には剥離紙８を覆ったものとしている。さらに、前記結び目形状３は、前記蝶結びや結び切り以外の各種の結び目形状とすることができるのは言うまでもない。
【００１７】
このように加工したこの発明の装飾品は、糊等を用いて接着したり、糸等を用いて縫着したりすることにより、衣類、紙製品、事務用品等の各種物品に取り付けることができる。また、裏面に剥離紙８で覆った貼着層７を有したものでは、この剥離紙８を剥がすことにより、前記各種物品に敏速に取り付けることができ、便利である。
【００１８】
また、この発明の装飾品を水引とした場合には、図７に示したような、熨斗袋９に印刷された水引模様１０の上に重ね合わせて貼り付けることができるので、市販の廉価な熨斗袋９であっても、見栄えのよい豪華なものにすることができる。
【００１９】
【発明の効果】
この発明の装飾品は、以上に述べたように構成されているので、材料費や加工費が高くつかず、しかも見栄えのよい豪華なものとなる。
【００２０】
そして、この発明の装飾品の加工方法は、大ロット、小ロットにかかわらず、装飾品を迅速で簡単に加工することができる。また、素材に限定されることなく、素材を自由に変更できるものにすることにより、多用途、多目的に使用することができる水引やリボン等の提供が可能となる。
【図面の簡単な説明】
【図１】この発明の装飾品を水引とした場合の実施形態を示す斜視図である。
【図２】この発明の装飾品をリボンとした場合の実施形態を示す斜視図である。
【図３】この発明の装飾品の加工方法を示す説明図である。
【図４】この発明の装飾品の加工方法を示す説明図である。
【図５】この発明の装飾品の加工方法を示す説明図である。
【図６】この発明の装飾品の加工方法を示す説明図である。
【図７】この発明の装飾品を熨斗袋に印刷された水引模様の上に重ね合わせて貼り付ける様子を示す説明図である。
【符号の説明】
１  金属蒸着膜
２  薄片
３  結び目形状
４  エンボス
【図１】
0003574944.tif 000002
【図２】
0003574944.tif 000003
【図３】
0003574944.tif 000004
【図４】
0003574944.tif 000005
【図５】
0003574944.tif 000006
【図６】
0003574944.tif 000007
【図７】
0003574944.tif 000008